(57)【要約】【課題】ライトガイドから出射された光が、レンズユニットの光軸とガラスの上面とが交わる部分に照射されないので、照度のばらつきが大きくなるという課題がある。【解決手段】原稿に導光するライトガイド４と、原稿からの反射光を集光してセンサー上に正立等倍像を形成するレンズユニット３と、ライトガイド４とレンズユニット３とを支持するフレーム２と、を備え、フレーム２には、ライトガイド４を収容する溝部Ａと、側壁２１０の角部２１４から突出した形状を有し、溝部Ａとの間にライトガイド４を挟んで溝部Ａと反対側に配置され、長手方向Ｘに延在する押さえ部２０１と、が形成され、押さえ部２０１は、撓み変形可能に備えられ、先端部２０２がライトガイド４の側面を押圧する。【選択図】図２
2016092566.tif 000002
【特許請求の範囲】
【請求項１】
長手方向に延びる、光源の光を出射する出射面と、前記出射面と対向する反射面とを有し、被読み取り対象物に導光する導光体と、
前記導光体に並設され、前記被読み取り対象物からの反射光を集光してセンサー上に正立等倍像を形成する結像光学素子と、
前記導光体と前記結像光学素子とを支持するフレームと、を備え、
前記フレームには、前記導光体の前記反射面側の底面と当接する第１の面と、前記導光体の前記底面と交わる方向の側面と当接する第２の面とを有し、前記導光体の前記反射面側を収容する溝部と、
前記フレームの壁部から突出した形状を有し、前記溝部との間に前記導光体を挟んで前記溝部と反対側に配置され、長手方向に延在する延在部と、が形成され、
前記延在部は、撓み変形可能に備えられ、先端部が前記導光体の前記側面と反対側の側面を押圧することを特徴とするコンタクトイメージセンサーモジュール。
【請求項２】
請求項１に記載のコンタクトイメージセンサーモジュールであって、
前記延在部における前記先端部には、前記導光体側に突出する突出部が形成され、前記突出部は、前記導光体の前記反対側の側面を押圧することを特徴とするコンタクトイメージセンサーモジュール。
【請求項３】
請求項１または請求項２に記載のコンタクトイメージセンサーモジュールであって、
前記延在部の前記導光体と反対側における前記先端部と反対側には、長手方向に延びる凹部が形成されたことを特徴とするコンタクトイメージセンサーモジュール。
【請求項４】
請求項１から請求項３のいずれか一項に記載のコンタクトイメージセンサーモジュールであって、
前記フレームにおける前記延在部が固定された部分から前記溝部側には、貫通孔が設けられ、長手方向において、前記延在部の長さは前記貫通孔の長さより短く形成され、前記延在部は、前記貫通孔の中央部に配置されることを特徴とするコンタクトイメージセンサーモジュール。
【請求項５】
請求項４に記載のコンタクトイメージセンサーモジュールであって、
前記フレームにおける前記延在部が固定された部分の幅方向の厚さは、前記フレームにおける前記貫通孔が形成された長手方向の両側の部分の幅方向の厚さより短いことを特徴とするコンタクトイメージセンサーモジュール。
【請求項６】
フレームと、
前記フレームに固定された第１の光学部材と、
前記第１の光学部材の側面と当接し、前記フレームに支持された第２の光学部材と、を備え、
前記フレームには、前記第２の光学部材と当接する第１の面と、前記フレームの壁部から突出した形状を有し、前記第２の光学部材を挟んで前記第１の光学部材と反対側に配置され、長手方向に延在する延在部と、が形成され、
前記延在部は、撓み変形可能に備えられ、先端部が前記第２の光学部材の前記第１の光学部材と反対側の側面を押圧することを特徴とするコンタクトイメージセンサーモジュール。
【請求項７】
請求項６に記載のコンタクトイメージセンサーモジュールであって、
前記第１の光学部材は、長手方向に延び、被読み取り対象物からの反射光を集光してセンサー上に正立等倍像を形成する結像光学素子であり、
前記第２の光学部材は、前記長手方向に延びる、光源の光を出射する出射面と、前記出射面と対向する反射面とを有し、被読み取り対象物に導光する導光体であることを特徴とするコンタクトイメージセンサーモジュール。
【発明の詳細な説明】
【技術分野】
【０００１】
本発明は、コンタクトイメージセンサーモジュールに関する。
【背景技術】
【０００２】
従来、イメージスキャナー、ファクシミリ、複写機、金融端末装置等において、コンタクトイメージセンサー（Ｃｏｎｔａｃｔ  Ｉｍａｇｅ  Ｓｅｎｓｏｒ）モジュール（以下、「ＣＩＳモジュール」と略する）が用いられている。このＣＩＳモジュールは、被読み取り対象物を照明する照明手段と、被読み取り対象物の正立等倍像を結像する結像光学素子と、結像光学素子で結像された正立等倍像を読み取るセンサーとを備え、照明手段により照明された被読み取り対象物からの反射光がレンズユニットに備えられた各レンズにより集光されてセンサー上に正立等倍像が形成される。
【０００３】
例えば、特許文献１に開示された図１５（ａ）のＣＩＳモジュール８００には、光源の光を被読み取り対象物に導光する棒状の導光体であるライトガイド８０１が、結像光学素子としてのレンズユニット８０２と並設される。フレーム８０３には、長手方向Ｘに延設された溝部８０４を構成する斜面８０４ａ，８０４ｂが形成され、ライトガイド８０１は、反射面８０１ｂ側が斜面８０４ａに当接し、押さえ部８０５のライトガイド８０１側の面８０５ａ，８０５ｂと斜面８０４ｂとに挟まれた状態で備えられる。
【０００４】
図１５（ｂ）は、長手方向Ｘから見た図で、ライトガイド８０１から出射された光が照射される状態を示す模式図である。ライトガイド８０１の出射面８０１ａから出射された光（実線矢印）は、レンズユニット８０２の光軸８０９と、被読み取り対象物８１０が載置されたガラス８０７の上面８０７ａとが交わる部分８０８に照射され、被読み取り対象物８１０によって反射された反射光がレンズユニット８０２の各レンズにより集光されてセンサー８０６上に正立等倍像が形成される。
【０００５】
光軸８０９と、ガラス８０７の上面８０７ａとが交わる部分８０８に光が照射されるようにするためには、図１５（ａ）のライトガイド８０１の外周面が溝部８０４の斜面８０４ａ，８０４ｂの全面に亘って当接し、ライトガイド８０１の位置が決められる。そのため、ライトガイド８０１の外周面と溝部８０４の斜面８０４ａ，８０４ｂとの間に隙間がないように、ライトガイド８０１が配置されることが望ましい。
【先行技術文献】
【特許文献】
【０００６】
【特許文献１】特開２０１３−２１９４５０号公報
【発明の概要】
【発明が解決しようとする課題】
【０００７】
しかしながら、押さえ部８０５の面８０５ａ，８０５ｂを形成する際の加工精度、すなわち、面８０５ａ，８０５ｂの、平坦度合、傾斜角度、面８０５ａ，８０５ｂと溝部８０４の斜面８０４ｂとの距離における寸法精度などのばらつきが生じることがある。このため、ライトガイド８０１の外周面が溝部８０４の斜面８０４ａ，８０４ｂの全面に亘って当接することができないので、ライトガイド８０１の位置が決められない。従って、図１５（ｂ）のライトガイド８０１の出射面８０１ａから出射された光（破線矢印）は、レンズユニット８０２の光軸８０９と、ガラス８０７の上面８０７ａとが交わる部分８０８に照射されないので、照度のばらつきが大きくなるという課題がある。
【課題を解決するための手段】
【０００８】
本発明は、上述の課題の少なくとも一部を解決するためになされたものであり、以下の形態または適用例として実現することが可能である。
【０００９】
［適用例１］長手方向に延びる、光源の光を出射する出射面と、前記出射面と対向する反射面とを有し、被読み取り対象物に導光する導光体と、前記導光体に並設され、前記被読み取り対象物からの反射光を集光してセンサー上に正立等倍像を形成する結像光学素子と、前記導光体と前記結像光学素子とを支持するフレームと、を備え、前記フレームには、前記導光体の前記反射面側の底面と当接する第１の面と、前記導光体の前記底面と交わる方向の側面と当接する第２の面とを有し、前記導光体の前記反射面側を収容する溝部と、前記フレームの壁部から突出した形状を有し、前記溝部との間に前記導光体を挟んで前記溝部と反対側に配置され、長手方向に延在する延在部と、が形成され、前記延在部は、撓み変形可能に備えられ、先端部が前記導光体の前記側面と反対側の側面を押圧することを特徴とするコンタクトイメージセンサーモジュール。
【００１０】
本適用例によれば、延在部は、撓み変形可能に備えられ、先端部が導光体の側面と反対側の側面を押圧する。これにより、導光体の底面と第１の面および導光体の側面と第２の面とは、全面に亘って当接し、導光体の位置は、第１の面と第２の面によって決められる。従って、導光体から出射された光は、結像光学素子の光軸と、被読み取り対象物が載置された透明部材の上面とが交わる部分に正確に照射され、照度のばらつきが小さくなる。
【００１１】
［適用例２］前記延在部における前記先端部には、前記導光体側に突出する突出部が形成され、前記突出部は、前記導光体の前記反対側の側面を押圧することを特徴とする上記コンタクトイメージセンサーモジュール。
【００１２】
本適用例によれば、延在部の導光体側の全体の面に比べて、導光体の側面に当接する部分を小さくすることができる。これにより、延在部を形成する際の加工精度の影響を小さくできる。
【００１３】
［適用例３］前記延在部の前記導光体と反対側における前記先端部と反対側には、長手方向に延びる凹部が形成されたことを特徴とする上記コンタクトイメージセンサーモジュール。
【００１４】
本適用例によれば、延在部の撓み変形する範囲が広がる。これにより、延在部によって導光体を押圧する押圧力を安定化させ、導光体をフレームの溝部に収容することができる。そのため、導光体の底面と第１の面および導光体の側面と第２の面とは、全面に亘って当接し、導光体の位置は、第１の面と第２の面によって決められる。
【００１５】
［適用例４］前記フレームにおける前記延在部が固定された部分から前記溝部側には、貫通孔が設けられ、長手方向において、前記延在部の長さは前記貫通孔の長さより短く形成され、前記延在部は、前記貫通孔の中央部に配置されることを特徴とする上記コンタクトイメージセンサーモジュール。
【００１６】
本適用例によれば、延在部の長手方向の両側に捩じれ変形可能な部分が形成される。これにより、延在部によって導光体を押圧する押圧力をさらに安定化させ、導光体をフレームの溝部に収容することができる。
【００１７】
［適用例５］前記フレームにおける前記延在部が固定された部分の幅方向の厚さは、前記フレームにおける前記貫通孔が形成された長手方向の両側の部分の幅方向の厚さより短いことを特徴とする上記コンタクトイメージセンサーモジュール。
【００１８】
本適用例によれば、フレームにおける延在部が固定された部分の捩じれ変形がさらに大きくなる。これにより、延在部によって導光体を押圧する押圧力をなおさらに安定化させ、導光体をフレームの溝部に収容することができる。
【００１９】
［適用例６］フレームと、前記フレームに固定された第１の光学部材と、前記第１の光学部材の側面と当接し、前記フレームに支持された第２の光学部材と、を備え、前記フレームには、前記第２の光学部材と当接する第１の面と、前記フレームの壁部から突出した形状を有し、前記第２の光学部材を挟んで前記第１の光学部材と反対側に配置され、長手方向に延在する延在部と、が形成され、前記延在部は、撓み変形可能に備えられ、先端部が前記第２の光学部材の前記第１の光学部材と反対側の側面を押圧することを特徴とするコンタクトイメージセンサーモジュール。
【００２０】
本適用例によれば、延在部は、撓み変形可能に備えられ、先端部が第２の光学部材の第１の光学部材と反対側の側面を押圧する。これにより、第２の光学部材は、フレームの第１の面および第１の光学部材の側面とそれぞれ全面に亘って当接し、第２の光学部材の位置は、フレームの第１の面と第１の光学部材の側面によって決められる。
【００２１】
［適用例７］前記第１の光学部材は、長手方向に延び、被読み取り対象物からの反射光を集光してセンサー上に正立等倍像を形成する結像光学素子であり、前記第２の光学部材は、前記長手方向に延びる、光源の光を出射する出射面と、前記出射面と対向する反射面とを有し、被読み取り対象物に導光する導光体であることを特徴とする上記コンタクトイメージセンサーモジュール。
【００２２】
本適用例によれば、導光体から出射された光は、結像光学素子の光軸と、被読み取り対象物が載置された透明部材の上面とが交わる部分に正確に照射され、照度のばらつきが小さくなる。
【図面の簡単な説明】
【００２３】
【図１】ＣＩＳモジュールの斜視図。
【図２】ＣＩＳモジュールの長手方向における一方の端部側の斜視図。
【図３】レンズユニット、ライトガイド、プリント回路基板を取り外した状態のフレームの部分を示す斜視図。
【図４】貫通孔が形成された側壁側から見たＣＩＳモジュールの部分を示す斜視図。
【図５】（ａ）は、ＣＩＳモジュールの断面図、（ｂ）は、溝部に備えられたライトガイドの部分を示す断面図。
【図６】ＣＩＳモジュールとガラス部材の断面図。
【図７】実施形態２におけるＣＩＳモジュールの長手方向における一方の端部側の斜視図。
【図８】（ａ）は、ＣＩＳモジュールの断面図、（ｂ）は、溝部にライトガイドが備えられた部分の断面図。
【図９】その他の押さえ部の形状を示す断面図。
【図１０】実施形態３におけるＣＩＳモジュールの断面図。
【図１１】（ａ）は、フレームに固定されたＬＥＤ基板を示す斜視図、（ｂ）は、ＬＥＤ基板をＬＥＤ部が備えられた側から見た斜視図。
【図１２】（ａ）は、固定部材によってＬＥＤ基板がフレームに固定された部分を示す斜視図、（ｂ）は、固定部材をフレームから取り外した状態を示す斜視図。
【図１３】固定部材をフレームの上方に引き出した状態を示す斜視図。
【図１４】（ａ）は、突出部によってフレームに固定されたＬＥＤ基板を示す斜視図、（ｂ）は、ＬＥＤ基板をフレームから取り外した状態を示す斜視図。
【図１５】（ａ）は、従来のフレームにライトガイドが備えられた部分を示す斜視図、（ｂ）は、従来のライトガイドから出射された光が照射される様子を示す模式図。
【発明を実施するための形態】
【００２４】
（実施形態１）
本発明のコンタクトイメージセンサーモジュール（以降、ＣＩＳモジュールという）の一実施形態について図を参照して説明する。図１は、ＣＩＳモジュール１の斜視図である。ＣＩＳモジュール１は、破線で示したガラスなどの透明部材ＧＬに対して固定された状態で備えてもよいし、幅方向Ｙに移動可能な状態で備えてもよい。ＣＩＳモジュール１が固定された場合は、透明部材ＧＬの高さ方向Ｚの上面（図面上側の面）に沿って幅方向Ｙに搬送される原稿（被読み取り対象物）の画像を読み取る。ＣＩＳモジュール１が移動可能に備えられた場合は、透明部材ＧＬの上面に載置された原稿の画像を移動しながら読み取る。
【００２５】
ＣＩＳモジュール１は、長手方向Ｘに延びるフレーム２を有しており、フレーム２には、導光体としてのライトガイド４、結像光学素子としてのレンズユニット３、センサー（不図示）を配置したプリント回路基板６が、長手方向Ｘに延びて備えられる。レンズユニット３は、ライトガイド４と並設される。フレーム２の長手方向Ｘの一方の端部には、破線で示すＬＥＤ基板８が備えられ、ＬＥＤ基板８のライトガイド４側には、光源としてのＬＥＤ部５が備えられる。
【００２６】
ＬＥＤ部５の幅方向Ｙおよび高さ方向Ｚの位置は、ライトガイド４の長手方向Ｘの端部の位置に配置される。ＬＥＤ部５から発光された光はライトガイド４の端部からライトガイド４の内部に入射され、透明部材ＧＬ上の原稿に向かって出射される。透明部材ＧＬ上の原稿から反射された反射光は、レンズユニット３によって集光され、センサー上に正立等倍像が形成される。センサーは、正立等倍像に応じた信号を出力する。
【００２７】
図２は、ＣＩＳモジュール１の長手方向Ｘにおける一方の端部側の斜視図である。ライトガイド４は、樹脂成形品などの透明部材４１と、遮光フィルム４２とから構成される。遮光フィルム４２は、出射面４１ａおよびＬＥＤ部５が備えられる側の端面を除いて、反射面４１ｂおよび側面に密着した状態でライトガイド４を被う。
【００２８】
フレーム２には、幅方向Ｙに延在し、フレーム２を高さ方向Ｚにおいて区分する中間壁部２１３が設けられる。中間壁部２１３の高さ方向Ｚにおける一方には、プリント回路基板６が備えられ、他方には、ライトガイド４、レンズユニット３が備えられる。
【００２９】
フレーム２の幅方向Ｙの図面右側の端部には、中間壁部２１３に対して立設する側壁２１０が形成される。フレーム２の幅方向Ｙの中央部には、中間壁部２１３に対してプリント回路基板６と反対側に立設する立設壁部２１１，２１２が形成される。
【００３０】
図３は、図２のＣＩＳモジュール１からライトガイド４、レンズユニット３、プリント回路基板６を取り外した状態のフレーム２の部分を示す斜視図である。側壁２１０と立設壁部２１１との間には、長手方向Ｘに延びる溝部Ａが形成される。溝部Ａは、側壁２１０に形成された斜面２１６、立設壁部２１１に形成された斜面２１７を含み、長手方向Ｘから見た断面形状がＶ字状に形成される。
【００３１】
立設壁部２１１と立設壁部２１２の間には、長手方向Ｘに延び、長手方向Ｘから見た断面形状が矩形状の溝部Ｂが形成される。図２に示すように、ライトガイド４の反射面４１ｂ側は、溝部Ａに収容され、レンズユニット３の中間壁部２１３側は、溝部Ｂに収容される。
【００３２】
押さえ部２０１は、ライトガイド４を挟んで溝部Ａと反対側の位置に、側壁２１０の角部２１４から突出し、長手方向Ｘに延在する。図１に示すように、押さえ部２０１は、長手方向Ｘに複数並んで形成される。
【００３３】
図４は、貫通孔２１５が形成された側壁２１０側から見たＣＩＳモジュール１の部分を示す斜視図である。側壁２１０には、側壁２１０を貫通する貫通孔２１５が形成される。図１に示すように、貫通孔２１５は、押さえ部２０１と対応するように、長手方向Ｘに複数並んで側壁２１０に形成される。
【００３４】
貫通孔２１５は、上型（不図示）と下型（不図示）を用いて、押さえ部２０１および図３の斜面２１７を成型する際に、スライド（不図示）が配置された部分である。図４の長手方向Ｘにおいて、押さえ部２０１の長さＬ１は、貫通孔２１５の長さＬ２と同じである。
【００３５】
図３のＶ字状の溝部Ａを構成する一方の斜面２１７は、長手方向Ｘにおいて立設壁部２１１に連続して形成される。これに対して、Ｖ字状の溝部Ａを構成する他方の斜面２１６は、長手方向Ｘにおいて、貫通孔２１５が間に配置されて複数並んで形成される。
【００３６】
図５（ａ）は、図４の断面位置Ｃ−Ｃ´において長手方向Ｘから見たＣＩＳモジュール１の断面図である。ライトガイド４の出射面４１ａ側の側面４ｄは、レンズユニット３とわずかな隙間を設けた状態で備えられる。遮光フィルム４２の透明部材４１に接する側には、光を散乱させる散乱面が形成されており、図１のＬＥＤ部５から発光された光は、図５（ａ）の透明部材４１の長手方向Ｘにおける端部に入射し、透明部材４１内を散乱し、出射面４１ａから出射する。
【００３７】
原稿からの反射光は、レンズユニット３によって集光され、フレーム２に設けられたスリット２１８を通り、プリント回路基板６に配置されたセンサー７に結像される。図３に示すように、スリット２１８は、長手方向Ｘに延びて形成されている。
【００３８】
図５（ａ）の斜面２１６の面形状は、透明部材４１の反射面４１ｂの面形状とほぼ同一形状に形成されている。また、斜面２１７の面形状は、透明部材４１の斜面２１７側の面形状とほぼ同一形状に形成されている。
【００３９】
押さえ部２０１におけるライトガイド４と反対側の面には、凹部２０４が長手方向Ｘに延設される。凹部２０４は、角部２１４の上端面２１４ａに対して垂直方向に貫通孔２１５側に延びる面２０４ａ、面２０４ａと接続されて窪む湾曲面２０４ｂ、湾曲面２０４ｂと接続されて幅方向Ｙの内側に延びる上端面２０４ｃを有する。
【００４０】
押さえ部２０１における角部２１４と反対側の先端部２０２には、押さえ部２０１の上端面２０４ｃと反対側の下端面２０４ｄからライトガイド４側に突出し、長手方向Ｘに延びる突出部２０３が設けられる。突出部２０３には、長手方向Ｘに延びる平面部２０３ａが形成される。平面部２０３ａは、遮光フィルム４２によって被覆されたライトガイド４の側面４ｃに当接する。
【００４１】
図５（ｂ）は、溝部Ａ（図３参照）に図５（ａ）のライトガイド４が備えられた部分の断面図である。実線に示す押さえ部２０１は、溝部Ａにライトガイド４が備えられた状態を示し、破線に示す押さえ部２０１は、溝部Ａにライトガイド４が備えられていない状態を示す。
【００４２】
干渉量Ｋ１は、溝部Ａにライトガイド４が備えられていない状態での平面部２０３ａ（破線で示す）の位置と、溝部Ａにライトガイド４が備えられた状態での側面４ｃに当接する平面部２０３ａ（実線で示す）の位置との距離である。
【００４３】
溝部Ａにライトガイド４が備えられていない状態における平面部２０３ａの位置は、溝部Ａにライトガイド４が備えられた状態における平面部２０３ａの位置より、干渉量Ｋ１だけ斜面２１７側の位置にある。
【００４４】
押さえ部２０１を実線と破線で示したように、押さえ部２０１の一端側はフレーム２の角部２１４に固定されて、押さえ部２０１の先端部２０２側が撓み変形可能に備えられる。溝部Ａにライトガイド４が備えられた状態では、押さえ部２０１が干渉量Ｋ１だけ撓み変形したことにより、押さえ部２０１の平面部２０３ａは、ライトガイド４の側面４ｃを押圧する。
【００４５】
これにより、ライトガイド４の斜面２１６側（反射面４１ｂ側）の底面４ａ、ライトガイド４の斜面２１７側の側面４ｂは、斜面２１６，２１７をそれぞれ押圧する。そのため、底面４ａ、側面４ｂは、隙間がない状態で斜面２１６，２１７と当接可能である。
【００４６】
図６は、長手方向Ｘから見たＣＩＳモジュール１と透明部材ＧＬの断面図である。ライトガイド４の出射面４１ａから出射された光は、透明部材ＧＬの上面ＧＬａとレンズユニット３の光軸Ｓとの交点Ｆに照射される。交点Ｆに照射された光は原稿Ｍによって反射され、光軸Ｓに沿ってレンズユニット３を通り、プリント回路基板６に配置されたセンサー７上に正立等倍像が形成される。
【００４７】
図３のフレーム２にライトガイド４を備える際は、フレーム２の長手方向Ｘの一方の端部の押さえ部２０１と溝部Ａとの間を押し拡げるようにしてライトガイド４の長手方向Ｘの端部を挿入し、溝部Ａに沿ってライトガイド４をフレーム２の長手方向Ｘの他方の端部までスライドさせて挿入する。
【００４８】
以上、本実施形態で説明した図１のＣＩＳモジュール１は、長手方向Ｘに延びる、光源としてのＬＥＤ部５の光を出射する図６の出射面４１ａと、出射面４１ａと対向する反射面４１ｂとを有し、被読み取り対象物としての原稿Ｍに導光する導光体としてのライトガイド４と、ライトガイド４に並設され、原稿Ｍからの反射光を集光してセンサー７上に正立等倍像を形成する結像光学素子としてのレンズユニット３と、ライトガイド４とレンズユニット３とを支持するフレーム２と、を備える。
【００４９】
図５（ａ）のフレーム２には、ライトガイド４の反射面４１ｂ側の底面４ａと当接する第１の面としての斜面２１６と、ライトガイド４の底面４ａと交わる方向の側面４ｂと当接する第２の面としての斜面２１７とを有し、ライトガイド４の反射面４１ｂ側を収容する溝部Ａ（図２参照）と、フレーム２の側壁２１０の角部２１４から突出した形状を有し、溝部Ａとの間にライトガイド４を挟んで溝部Ａと反対側に配置され、長手方向Ｘに延在する延在部としての押さえ部２０１と、が形成される。押さえ部２０１は、撓み変形可能に備えられ、先端部２０２がライトガイド４の側面４ｂと反対側の側面４ｃを押圧する。
【００５０】
この構成によれば、押さえ部２０１を形成する際の加工精度の影響を小さくできる。そのため、ライトガイド４の底面４ａと斜面２１６およびライトガイド４の側面４ｂと斜面２１７とは、全面に亘って当接し、ライトガイド４の位置は、斜面２１６，２１７によって決められる。従って、図６のライトガイド４の出射面４１ａから出射された光は、レンズユニット３の光軸Ｓと、原稿Ｍが載置された透明部材ＧＬの上面ＧＬａとが交わる部分Ｆに照射され、照度のばらつきが小さくなる。
【００５１】
また、図５（ａ）の押さえ部２０１における先端部２０２には、ライトガイド４側に突出する突出部２０３が形成され、突出部２０３は、ライトガイド４の側面４ｃ（側面４ｂと反対側）を押圧する。
【００５２】
この構成によれば、押さえ部２０１のライトガイド４側の全体の面に比べて、ライトガイド４の側面４ｃに当接する部分を小さくすることができる。これにより、押さえ部２０１を形成する際の加工精度の影響を小さくできる。
【００５３】
また、押さえ部２０１におけるライトガイド４と反対側の、側壁２１０の角部２１４側（先端部２０２と反対側）には、長手方向Ｘに延びる凹部２０４が形成される。
【００５４】
この構成によれば、図５（ｂ）の押さえ部２０１の撓み変形による設計上の干渉量Ｋ１が広がる。これにより、加工精度の影響で実際の干渉量Ｋ１がばらついても押さえ部２０１によってライトガイド４を押圧する押圧力を安定化させ、ライトガイド４をフレーム２の溝部Ａに収容することができる。そのため、ライトガイド４の底面４ａと斜面２１６およびライトガイド４の側面４ｂと斜面２１７とは、全面に亘って当接し、ライトガイド４の位置は、斜面２１６，２１７によって決められる。
【００５５】
（実施形態２）
実施形態１では、図４に示したように、長手方向Ｘにおいて、押さえ部２０１の長さＬ１は、側壁２１０に設けられた貫通孔２１５の長さＬ２と同じであったが、実施形態２では、押さえ部の長さを側壁に設けられた貫通孔の長さより短くしたＣＩＳモジュールについて説明する。
【００５６】
図７は、実施形態２におけるＣＩＳモジュール１ａの長手方向Ｘにおける一方の端部側の斜視図である。ＣＩＳモジュール１ａのフレーム２ａの幅方向Ｙにおける図面右側の端部には側壁２２０が形成される。側壁２２０には、側壁２２０を貫通する貫通孔２２１が長手方向Ｘに複数並んで形成される。
【００５７】
上側壁部２２２は、側壁２２０の一部であり、それぞれの貫通孔２２１の高さ方向Ｚの上側を構成する。上側壁部２２２には、幅方向Ｙの内側に突出する押さえ部２２５が固定される。押さえ部２２５は、複数の貫通孔２２１に対応するように、長手方向Ｘに並んで形成される。
【００５８】
長手方向Ｘにおいて、押さえ部２２５の長さＬ３は、貫通孔２２１の長さＬ４より短い。長手方向Ｘにおける押さえ部２２５の位置は、貫通孔２２１の中央部に配置される。
【００５９】
壁部２２３は、側壁２２０の一部を構成し、貫通孔２２１の長手方向Ｘの両側に形成されたものである。壁部２２３と上側壁部２２２との接続部分には、段差部２２４が形成されている。すなわち、上側壁部２２２の幅方向Ｙの厚さＬ５は、壁部２２３の幅方向Ｙの厚さＬ６より薄い。
【００６０】
図８（ａ）は、長手方向Ｘから見たＣＩＳモジュール１ａの断面図である。押さえ部２２５の先端部２２６には、ライトガイド４側に突出する突出部２２７が形成される。突出部２２７には、長手方向Ｘに延びる平面部２２７ａが形成される。平面部２２７ａは、ライトガイド４の側面４ｃに当接する。
【００６１】
図８（ｂ）は、溝部Ａ（図７参照）に図８（ａ）のライトガイド４が備えられた部分の断面図である。実線に示す押さえ部２２５は、溝部Ａにライトガイド４が備えられた状態を示し、破線に示す押さえ部２２５は、溝部Ａにライトガイド４が備えられていない状態を示す。
【００６２】
干渉量Ｋ２は、溝部Ａにライトガイド４が備えられていない状態での平面部２２７ａ（破線で示す）の位置と、溝部Ａにライトガイド４が備えられた状態での側面４ｃに当接する平面部２２７ａ（実線で示す）の位置との距離である。溝部Ａにライトガイド４が備えられていない状態における平面部２２７ａの位置は、溝部Ａにライトガイド４が備えられた状態における平面部２２７ａの位置より、干渉量Ｋ２だけ斜面２１７側の位置にある。
【００６３】
本実施形態のＣＩＳモジュール１ａは、フレーム２ａの側壁２２０における押さえ部２２５が固定された部分である上側壁部２２２から溝部Ａ側には、貫通孔２２１が設けられ、長手方向Ｘにおいて、押さえ部２２５の長さＬ３は貫通孔２２１の長さＬ４より短く形成され、押さえ部２２５は、貫通孔２２１の中央部に配置される。
【００６４】
この構成によれば、上側壁部２２２において、押さえ部２２５が接続された部分の長手方向Ｘの両側に捩じれ変形可能な部分として壁部２２２ａが形成される。すなわち、壁部２２３に固定された上側壁部２２２の長手方向Ｘの両端部に対して、押さえ部２２５が固定された上側壁部２２２の中央部は、長手方向Ｘを軸の方向として方向Ｄの捩じれ変形が可能である。これにより、本実施形態の図８（ｂ）の設計上の干渉量Ｋ２は、押さえ部２２５の撓み変形によって生じた分に、上側壁部２２２の捩じれ変形によって生じる分がさらに加わる。
【００６５】
従って、本実施形態の図８（ｂ）の干渉量Ｋ２は、実施形態１の図５（ｂ）の干渉量Ｋ１より大きい。すなわち、押さえ部２２５によってライトガイド４を押圧する押圧力をさらに安定化させ、ライトガイド４をフレーム２ａの溝部Ａに収容することができる。
【００６６】
また、上側壁部２２２の幅方向Ｙの厚さＬ５は、壁部２２３の幅方向Ｙの厚さＬ６より短い。この構成によれば、上側壁部２２２における捩じれ変形がさらに大きくなる。これにより、押さえ部２２５によってライトガイド４を押圧する押圧力をさらに増加させ、ライトガイド４をフレーム２ａの溝部Ａに収容することができる。本実施形態のその他の構成は、実施形態１で説明した構成と同じである。
【００６７】
実施形態１，２では、押さえ部２０１，２２５の先端部２０２，２２６にライトガイド４側に突出する突出部２０３，２２７を形成したが、押さえ部２３０の先端部２３１に突出部を形成しないでもよい。図９（ａ）の先端部２３１に形成された平坦部２３１ａは、ライトガイド４の側面４ｃの形状と同じ形状に形成されており、平坦部２３１ａは、ライトガイド４の側面４ｃを押圧する。
【００６８】
また、実施形態１，２では、押さえ部２０１，２２５の先端部２０２，２２６における突出部２０３，２２７に形成された平面部２０３ａ，２２７ａによってライトガイド４の側面４ｃを押圧したが、図９（ｂ）に示すように、押さえ部２４０の先端部２４１に形成された湾曲面２４１ａによってライトガイド４の側面４ｃを押圧してもよい。
【００６９】
（実施形態３）
実施形態１，２では、ライトガイド４をフレーム２，２ａの溝部Ａの斜面２１６，２１７に当接させることによってライトガイド４の位置を決めたが、実施形態３では、ライトガイド４をレンズユニット３に当接させることによってライトガイド４の位置を決める構成について説明する。
【００７０】
図１０は、実施形態３における長手方向Ｘから見たＣＩＳモジュール１ｂの断面図である。レンズユニット３は、中間壁部２１３の上部に備えられ、中間壁部２１３からプリント回路基板６と反対側に立設する、立設壁部２１１ａと立設壁部２１２との間に嵌合された状態で固定される。
【００７１】
ライトガイド４の底面４ａはフレーム２ｂの斜面２１６に当接し、ライトガイド４の側面４ｄはレンズユニット３の側面３ａに当接する。立設壁部２１１ａの斜面２１７ａとライトガイド４の側面４ｂとの間には隙間Ｇが設けられ、ライトガイド４の側面４ｂは、斜面２１７ａとは接しない。
【００７２】
本実施形態のＣＩＳモジュール１ｂは、フレーム２ｂと、フレーム２ｂに固定された第１の光学部材としてのレンズユニット３と、レンズユニット３の側面３ａと当接し、フレーム２ｂに支持された第２の光学部材としてのライトガイド４と、を備える。
【００７３】
フレーム２ｂには、ライトガイド４の底面４ａと当接する第１の面としての斜面２１６と、フレーム２ｂの側壁２１０から突出した形状を有し、ライトガイド４を挟んでレンズユニット３と反対側に配置され、長手方向Ｘに延在する延在部としての押さえ部２０１と、が形成される。押さえ部２０１は、撓み変形可能に備えられ、先端部がライトガイド４のレンズユニット３と反対側の側面４ｃを押圧する。
【００７４】
この構成によれば、ライトガイド４は、フレーム２ｂの斜面２１６およびレンズユニット３の側面３ａとそれぞれ全面に亘って当接し、ライトガイド４の位置は、フレーム２ｂの斜面２１６とレンズユニット３の側面３ａによって決められる。本実施形態のその他の構成は、実施形態１で説明した構成と同じである。
【００７５】
次に、図１のＬＥＤ部５を備えたＬＥＤ基板８をフレームに固定する方法について説明する。図１１（ａ）は、フレーム２ｃに固定されたＬＥＤ基板８を示す斜視図である。フレーム２ｃの長手方向Ｘの端部には、円柱状の突出部２５１が２個形成される。突出部２５１は、ＬＥＤ基板８に形成された貫通孔８０に嵌合する。これにより、ＬＥＤ基板８の幅方向Ｙおよび高さ方向Ｚの位置が定まる。
【００７６】
フレーム２ｃには、高さ方向Ｚに延びる溝部２５０が幅方向Ｙの両側にそれぞれ形成される。ＬＥＤ基板８は、幅方向Ｙの両側の端部が溝部２５０に侵入した状態で備えられる。これにより、ＬＥＤ基板８における長手方向Ｘの位置が定まる。
【００７７】
図１１（ｂ）は、図１１（ａ）のＬＥＤ基板８を高さ方向Ｚの上方に引き出した状態を示し、ＬＥＤ基板８をＬＥＤ部５が備えられた側から見た斜視図である。ＬＥＤ部５は、ライトガイド４の反射面４１ｂと直交する方向に並ぶ３個のＬＥＤ（ｌｉｇｈｔ  Ｅｍｉｔｔｉｎｇ  Ｄｉｏｄｅ）５０を有する。
【００７８】
ＬＥＤ５０は、ＬＥＤ基板８の配線回路（不図示）と端子部５１によって電気的にそれぞれ接続される。ＬＥＤ基板８には、端子部７０が形成され、図１のプリント回路基板６と電気的に接続される。
【００７９】
固定部材を用いてＬＥＤ基板８をフレームに固定してもよい。図１２（ａ）は、固定部材９によってＬＥＤ基板８がフレーム２ｄに固定された部分を示す斜視図である。固定部材９は、板状部９１、幅方向Ｙの両側に形成されて板状部９１を支持する支持部９２を有する。
【００８０】
一対の支持部９２が、フレーム２ｄの両側の側面２５６に沿って配置され、フレーム２ｄを挟むようにして備えられ、支持部９２の下側に形成されたフック部９０がフレーム２ｄの下側角部に係止することにより、固定部材９の幅方向Ｙおよび高さ方向Ｚの位置が固定される。
【００８１】
図１２（ｂ）は、図１２（ａ）の固定部材９をフレーム２ｄから取り外した状態を示す斜視図である。フレーム２ｄには、側面２５６から立設し、高さ方向Ｚに延在するリブ２５３が幅方向Ｙの両側に形成される。また、フレーム２ｄの長手方向Ｘの端部における下側には、側面２５６から幅方向Ｙに突出する部分２５４ａ，２５５ａを有する壁部２５４，２５５が幅方向Ｙの両側にそれぞれ形成される。支持部９２がリブ２５３と壁部２５４，２５５の突出する部分２５４ａ，２５５ａとの間に備えられることにより、固定部材９の長手方向Ｘの位置が固定される。
【００８２】
フレーム２ｄの長手方向Ｘの端部に形成された一対の円柱状の突出部２５２は、ＬＥＤ基板８に形成された貫通孔８０と嵌合する。これにより、ＬＥＤ基板８の幅方向Ｙおよび高さ方向Ｚの位置が定まる。
【００８３】
図１３は、図１２（ａ）の固定部材９を高さ方向Ｚの上方に引き出した状態を示し、ＬＥＤ基板８が備えられた側から見た斜視図である。固定部材９には、板状部９１から長手方向Ｘのフレーム２ｄ側に立設し、高さ方向Ｚに延在するリブ９３が形成される。
【００８４】
図１２（ａ）の固定部材９がフレーム２ｄに固定された状態において、ＬＥＤ基板８は、板状部９１とフレーム２ｄとの間に配置され、リブ９３がＬＥＤ基板８と当接することにより、ＬＥＤ基板８の長手方向Ｘの位置が定まる。
【００８５】
図１４（ａ）に示すように、ＬＥＤ基板８ａをフレーム２ｅに設けられた突出部２６０によって固定するようにしてもよい。図１４（ｂ）は、図１４（ａ）のＬＥＤ基板８ａをフレーム２ｅから取り外した状態を示す斜視図である。
【００８６】
図１４（ｂ）のＬＥＤ基板８ａには、一対の貫通孔８１が設けられる。一つの貫通孔８１の縁部には、幅方向Ｙおよび高さ方向Ｚに延びるスリット溝８１ａが４本形成される。
【００８７】
突出部２６０は、フレーム２ｅの長手方向Ｘの端面２６１に接続された円筒部２６０ｂと、円筒部２６０ｂの外側に同軸上に形成され、円筒部２６０ｂより断面形状における直径が長い円筒部２６０ａとを有する。貫通孔８１の縁部にスリット溝８１ａが形成されていることにより、円筒部２６０ａは、貫通孔８１を押し拡げるようにして挿入され、貫通孔８１は、円筒部２６０ｂの位置で固定される。
【００８８】
このような構成により、ＬＥＤ基板８ａは、幅方向Ｙ、高さ方向Ｚ、長手方向Ｘの位置が定まり、ＬＥＤ基板８ａは、フレーム２ｅに固定される。図１１（ａ）の突出部２５１、図１２（ｂ）の突出部２５２、図１４の突出部２６０は、それぞれのフレーム２ｃ，２ｄ，２ｅの端部に２個形成したが、１個形成したものでもよい。以上説明したＬＥＤ基板の固定方法を用いて、実施形態１〜３のフレーム２，２ａ，２ｂにＬＥＤ基板８，８ａを固定する。
【符号の説明】
【００８９】
１，１ａ…ＣＩＳモジュール、２，２ａ…フレーム、３…レンズユニット、４…ライトガイド、４ａ…底面、４ｂ，４ｃ…側面、５…ＬＥＤ部、６…プリント回路基板、７…センサー、４１ａ…出射面、４１ｂ…反射面、２０１，２２５…押さえ部、２０２，２２６，２３１，２４１…先端部、２０３，２２７…突出部、２０４…凹部、２１５，２２１…貫通孔、２１６，２１７…斜面、Ａ…溝部、Ｌ１〜Ｌ６…長さ、Ｍ…原稿、Ｘ…長手方向、Ｙ…幅方向。
【図１】
2016092566.tif 000003
【図２】
2016092566.tif 000004
【図３】
2016092566.tif 000005
【図４】
2016092566.tif 000006
【図５】
2016092566.tif 000007
【図６】
2016092566.tif 000008
【図７】
2016092566.tif 000009
【図８】
2016092566.tif 000010
【図９】
2016092566.tif 000011
【図１０】
2016092566.tif 000012
【図１１】
2016092566.tif 000013
【図１２】
2016092566.tif 000014
【図１３】
2016092566.tif 000015
【図１４】
2016092566.tif 000016
【図１５】
2016092566.tif 000017